(57)【要約】【課題】基板に正しい部品取り付けられていることを容易に確認できる遊技機を提供する。【解決手段】スロットマシンは、複数種類の電子部品が搭載された基板を備え、前記複数種類の電子部品は、文字情報が記された複数の特定電子部品を含んでいる。前記複数の特定電子部品は、それぞれに記された前記文字情報の向きが共通するように前記基板に搭載されている。【選択図】図１
2019166134.tif 000002
【特許請求の範囲】
【請求項１】
遊技を行う遊技機であって、
複数種類の電子部品が搭載された基板を備え、
前記複数種類の電子部品は、文字情報が記された複数の特定電子部品を含んでおり、
前記複数の特定電子部品は、それぞれに記された前記文字情報の向きが共通するように前記基板に搭載されていることを特徴とする遊技機。
【発明の詳細な説明】
【技術分野】
【０００１】
本発明は、パチンコ遊技機やスロットマシン等の遊技機に関する。
【背景技術】
【０００２】
パチンコ遊技機やスロットマシン等の遊技機には、例えば、遊技の進行を制御するＩＣチップが搭載された基板などを有するものがある（例えば、特許文献１参照）。基板に搭載された電子部品には、例えば、型番やロット番号が印刷されたものがある。
【先行技術文献】
【特許文献】
【０００３】
【特許文献１】特開２０１６−０９３６０３号公報
【発明の概要】
【発明が解決しようとする課題】
【０００４】
遊技機における基板では、不正防止の観点から、基板に取り付けられた部品が正しい部品であるか否かを容易に確認できるようにすることが求められる。しかしながら、上記特許文献１に記載された遊技機における部品が取り付けられた基板については、正しい部品が取り付けられていることの確認を容易にするためには、さらなる改善を図ることが求められる。
【０００５】
そこで、本発明の課題は、基板に正しい部品取り付けられていることを容易に確認できる遊技機を提供することである。
【課題を解決するための手段】
【０００６】
（１）本発明の遊技機は、遊技を行う遊技機（例えば、スロットマシン、パチンコ遊技機等）であって、複数種類の電子部品（例えば、主要回路、入力回路、出力回路、入出力端子、抵抗、トランジスタ、コンデンサ等）が搭載された基板（例えば、基板１等）を備え、前記複数種類の電子部品は、文字情報（例えば、上第１出力回路１１Ａ、中第１出力回路１１Ｂ、下第１出力回路１１Ｃに記載された「型番１」の文字等）が記された複数の特定電子部品（例えば、上第１出力回路１１Ａ、中第１出力回路１１Ｂ、下第１出力回路１１Ｃ等）を含んでおり、前記複数の特定電子部品は、それぞれに記された前記文字情報の向きが共通する（例えば、上第１出力回路１１Ａ、中第１出力回路１１Ｂ、下第１出力回路１１Ｃに表示された「型番１」の文字は、いずれもその文字を見る者が読みやすい向きを向いている等）ように前記基板に搭載されていることを特徴とする。
【０００７】
このような構成によれば、電子部品に記された文字情報に対して、一方向からの視認で認識し易くできる。このため、基板に正しい部品取り付けられていることを容易に確認できる。
【０００８】
（２）上記（１）に記載の遊技機において、前記複数種類の電子部品は、遊技の制御を行う特別電子部品（例えば、主要回路１０等）を含み、前記特別電子部品には、文字情報が記されており（例えば、主要回路１０に「型番１００」の文字が記載されている等）、複数の前記特定電子部品における前記文字情報の向き（例えば、第１出力回路１１に記載された「型番１」の文字の向き等）と、前記特別電子部品における前記文字の向き（例えば、主要回路１０に記載された「型番１００」の文字の向き等）が、いずれも特定の向き（例えば、複数の文字等を一方向から覗いたときに、その文字等の同じ側が視点に近い側に位置する向き等）となるように、複数の前記特定電子部品及び前記特別電子部品が前記基板に搭載されているようにしてもよい。
【０００９】
このような構成によれば、特定電子部品とともに文字情報を認識し易くできる。
【００１０】
（３）上記（２）の遊技機において、前記基板に搭載され、文字情報が記された複数の前記電子部品（例えば、主要回路１０、第１出力回路１１〜第５出力回路１５、第１入力回路２１）のうちの半数を超える前記電子部品（例えば、基板部材２に搭載された電子部品であって文字が記載された電子部品のうちの主要回路１０、上第１出力回路１１Ａ、中第１出力回路１１Ｂ、下第１出力回路１１Ｃ、右第１入力回路２１Ａ、中第１入力回路２１Ｂ、左第１入力回路２１Ｃ等）は、それぞれに記された前記文字情報の面が前記特定の向きとなる（例えば、主要回路１０、上第１出力回路１１Ａ、中第１出力回路１１Ｂ、下第１出力回路１１Ｃ、右第１入力回路２１Ａ、中第１入力回路２１Ｂ、左第１入力回路２１Ｃに記載された文字は、特定の向きを向いている等）ように前記基板に搭載されているようにしてもよい。
【００１１】
このような構成によれば、他に設けられた電子部品とともに文字情報を認識し易くできる。
【００１２】
（４）上記（１）〜（３）のいずれかの遊技機において、前記基板上における前記特定電子部品の実装位置の近傍（例えば、第１出力回路１１の近傍等）には、前記実装位置に実装される前記特定電子部品と対応した文字情報（例えば、第１出力回路１１に記載された「型番１」と同一の「型番１」の文字等）が記されており、前記基板上に記された文字情報と、前記実装位置に実装された前記特定電子部品に記された文字情報の向きが共通する（例えば、第１出力回路１１に記載された「型番１」と、基板部材２の記載された「型番１」の文字の向きが、基板１を一方向から見たときに、その文字の下側が視点に近い側に位置する等）ように、前記実装位置に実装された前記特定電子部品が前記基板に搭載されているようにしてもよい。
【００１３】
このような構成によれば、基板の文字情報とともに特定電子部品を認識し易くできる。
【図面の簡単な説明】
【００１４】
【図１】スロットマシンに設けられる基板の正面図である。
【図２】基板の一部分の斜視図である。
【図３】基板の一部分の斜視図である。
【図４】基板の一部分の平面図である。
【図５】基板の一部分の回路図である。
【図６】基板の一部分の回路図である。
【図７】基板の一部分の回路図である。
【図８】基板の一部分の回路図である。
【図９】基板の要部を拡大した斜視図である。
【図１０】変形例の基板の要部を拡大した斜視図である。
【図１１】他の変形例の基板の要部を拡大した平面図である。
【図１２】他の変形例の基板の要部を拡大した平面図である。
【発明を実施するための形態】
【００１５】
本発明に係る遊技機の一例である遊技機を実施するための形態を以下に説明する。なお、以下の実施形態において、各図面の比率等については、実際の比率等と異なることがある。図１は、スロットマシンに設けられる基板の正面図である。なお、以下の実施形態において、「上」「下」「左」「右」「後（奥）」「前（手前）」の各方向について、基板１がスロットマシンの筐体に取り付けられた状態に基づいて説明する。また、面の向き（方向）とは、その面に直交する軸の延在方向であってその面を視認する側の方向とする。例えば、図１において、「型番１００」と記載された主要回路１０の前面１０Ｆは、前方が面の向きとなる。また、文字の向きは、その文字を見る者が、所定の一方向からその文字を読みやすくなるか否かが定められる向きである。例えば、３つの文字が左右方向に標準的に並んで記載されている場合に、その中央の文字が１８０°回転していたら、その中央の文字は他の２つの文字と文字の向きが異なっており、その他の２つの文字は互いに向きが共通する。
【００１６】
例えば、３次元空間において、互いに直交する３つの面、前後方向に沿った第１軸に直交する第１面、上下方向に沿った第２軸に直交する第２面、及び左右方向に沿った第３軸に直交する第３面を想定する。この場合、第１面は、前方（手前側）または後方（奥側）を向き、第２面は、上方（上側）または下方（下側）を向き、第３面は右方（右側）または左方（左側）を向くことになる。
【００１７】
また、文字の向きは、文字が記載される面の向きによって制限される。例えば、第１面に記載される文字は、前方（手前側）または後方（奥側）を成分とする方向を向くことはなく、例えば、上方（上側）、下方（下側）、左方（左側）、及び右方（右側）のいずれか、あるいは、これらの各方向の成分を掛け合わせた方向、例えば右上方、左下方などとなる。また、第２面に記載される文字は、上方（上側）または下方（下側）を成分とする方向を向くことはなく、例えば、前方（手前側）、後方（奥側）、左方（左側）、及び右方（右側）のいずれか、あるいは、これらの各方向の成分を掛け合わせた方向、例えば右前方、左後方などとなる。また、第３面に記載される文字は、右方（右側）または左方（左側）を成分とする方向を向くことはなく、例えば、上方（上側）、下方（下側）、前方（手前側）、及び後方（奥側）のいずれか、あるいは、これらの各方向の成分を掛け合わせた方向、例えば上前方、下後方などとなる。
【００１８】
基板１は、図示しない基板ケースに収容され、遊技機であるスロットマシンの筐体の内部に設けられている。基板１は、図１に示すように、広い面（電子部品の実装面）が前面を向くようにして配置され、スロットマシンの筐体の内側における奥方の板の手前側の面に固定されて取り付けられる。また、基板ケースは透明の素材で設けられており、基板ケースの外側から基板１が視認できるようにされている。
【００１９】
基板１は、スロットマシンの遊技を主に司るいわゆる主基板であり、図１に示すように、基板部材２と、基板部材２に搭載された多数の電子部品を備えている。具体的に、基板部材２の一面側には、１個の主要回路１０が実装されている。主要回路１０は、回路素子であり、遊技の制御を行う特別電子部品である。また、基板部材２には、上第１出力回路１１Ａ、中第１出力回路１１Ｂ、下第１出力回路１１Ｃの３個の第１出力回路が実装されている。上第１出力回路１１Ａ、中第１出力回路１１Ｂ、下第１出力回路１１Ｃは、互いに同一種類の回路によって構成されている。上第１出力回路１１Ａ、中第１出力回路１１Ｂ、下第１出力回路１１Ｃは、文字が記された複数の特定電子部品である。上第１出力回路１１Ａ、中第１出力回路１１Ｂ、下第１出力回路１１Ｃに記載された文字については、後に説明する。
【００２０】
これらの上第１出力回路１１Ａ、中第１出力回路１１Ｂ、下第１出力回路１１Ｃは、互いに同一種類の電子部品である。なお、以下の説明において、同一種類の電子部品については、その共通する性質に即した説明をする場合には、符号の語尾に付されたアルファベットを省略して、それらの説明を行うことがある。例えば、共通する電子部品である上第１出力回路１１Ａ、中第１出力回路１１Ｂ、下第１出力回路１１Ｃについて共通する性質を説明する際には、第１出力回路１１としての性質等を説明することがある。
【００２１】
また、基板部材２の一面側には、右上第２出力回路１２Ａ、右下第２出力回路１２Ｂ、及び左第２出力回路１２Ｃの３個の第２出力回路１２が実装され、第３出力回路１３Ａの１個の第３出力回路１３が実装され、上第４出力回路１４Ａ及び下第４出力回路１４Ｂの２つの第４出力回路１４が実装され、第５出力回路１５Ａの１個の第５出力回路１５が実装されている。このうち、右上第２出力回路１２Ａ、右下第２出力回路１２Ｂ、及び左第２出力回路１２Ｃは、互いに同一種類の電子部品によって構成されている。また、上第４出力回路１４Ａ及び下第４出力回路１４Ｂも同一種類の電子部品によって構成されている。また、第２出力回路１２と第３出力回路１３Ａは互いに近傍位置となるように配置されている。
【００２２】
また、基板部材２の一面側には、右第１入力回路２１Ａ、中第１入力回路２１Ｂ、及び左第１入力回路２１Ｃの３つの第１入力回路が実装されている。右第１入力回路２１Ａ、中第１入力回路２１Ｂ、及び左第１入力回路２１Ｃは、互いに同一種類の電子部品によって構成されている。また、第１入力回路２１は、第３出力回路１３と同一種類の電子部品によって構成されている。これらの第３出力回路１３及び第１入力回路２１は、識別部品回路となる。これらの第１出力回路１１〜第５出力回路１５及び第１入力回路２１は、いずれも回路素子である。また、第１出力回路１１〜第５出力回路１５は、所定電子部品である。
【００２３】
また、基板部材２の一面側には、第１抵抗素子３１〜第８抵抗素子３８が並設されており、第８抵抗素子３８における第７抵抗素子３７の反対側に、異性能抵抗素子４１が並設されている。第１抵抗素子３１〜第８抵抗素子３８、及び異性能抵抗素子４１は、いずれも極性のない２つの端子を備える電子部品であり、抵抗値が共通する同一性能の抵抗素子である。
【００２４】
また、基板部材２の一面側には、第１セグメント表示部５１〜第４セグメント表示部５４、電源確認ランプ５５が実装されれている。第１セグメント表示部５１は、複数の端子を有する特殊電子部品であり、「８」の数字をかたどる７個のセグメントからなるいわゆる７セグメントと、７セグメントの右下に配置された１つの丸型セグメントの合計８個のセグメントを備えている。第２セグメント表示部５２〜第４セグメント表示部５４も、同様に配置された８個のセグメントを備えている。電源確認ランプ５５は、１個の丸型ランプを備えて構成されている。
【００２５】
さらに、基板部材２の一面側には、第１入出力端子６１、第２入出力端子６２、及び第３入出力端子６３が実装されている。第１入出力端子６１、第２入出力端子６２、及び第３入出力端子６３は、互いに異種の入出力端子である。第１入出力端子６１、第２入出力端子６２、及び第３入出力端子６３は、基板部材２の下端部において、右から順に並んで配置されている。
【００２６】
第１セグメント表示部５１〜第４セグメント表示部５４には、役比表示手段であり、主要回路１０から送信される信号に応じて、役比（役物比率）に関する数値を表示する。電源確認ランプ５５は、電源がＯＮとなったときに点灯し、電源がＯＦＦとなったときに消灯する。第１入出力端子６１〜第３入出力端子６３には、スロットマシンに設けられる種々の部品との間における信号を送受信する配線が接続されている。
【００２７】
基板部材２の一面側に設けられたこれらの電子部品は、基板部材２の一面側及び他面側（裏面側）、さらには基板部材２に設けられたスルーホール等で配線を介して接続されている。これらの配線については図示を省略する。また、基板部材２には、図１に示した電子部品以外の電子部品も実装されている。これらの電子部品については、文字等は記載されていない。本実施形態では、これらの文字等が記載されていない電子部品についての説明は省略する。
【００２８】
また、これらの電子部品や基板部材２には、電子部品の種類や電子部品を搭載する位置を示すための文字等が記載されている。具体的に、図２にも示すように、主要回路１０の前面１０Ｆには、「型番１００」の文字が表示されている。主要回路１０の前面１０Ｆは、基板部材２における主要回路１０の実装面と共通する方向を向いた面である。主要回路１０の前面に表示された文字は、例えばシルク印刷によって記載されている。主要回路１０に記載された文字は、上を向いて表示されている。主要回路１０の前面１０Ｆに記載された「型番１００」の文字は、他の電子部品に記載された文字よりも大きい文字とされている。
【００２９】
なお、以下の各電子部品に表示される文字（文字情報）は、いずれもシルク印刷によって記載されている。また、各電子部品に表示される文字は、シルク印刷以外の印刷などの手段で表示（記載）されていてもよい。また、これらの文字は、電子部品に直接印刷等で記載されていてもよいし、文字が印刷（記載）されたシール等が貼着されることによって表示されていてもよい。
【００３０】
また、各電子部品に表示される文字は、主要回路１０に記載された文字のように漢字でもよいし、その他の文字、例えばひらがな、カタカナ、算用数字、アルファベット、ロシア文字、ギリシア文字等の文字でもよいし、これらの文字の組み合わせでもよい。さらには、記号などでもよいし、文字と記号を組み合わせたものでもよい。また、各電子部品に表示される文字は、そのロット番号などの電子部品自体に関する記述内容でもよいし、各電子部品が用いられる用途（例えば「出力回路」等）などでもよい。
【００３１】
また、図３に示すように、上第１出力回路１１Ａの下面１１ＡＬ、中第１出力回路１１Ｂの下面１１ＢＬ、及び下第１出力回路１１Ｃの下面１１ＣＬのには、いずれも「型番１」の文字が表示されている。上第１出力回路１１Ａの下面１１ＡＬに表示された文字は、所定の一方向からその文字を見る者が読みやすい向き（以下、単に「読みやすい向き」ともいう）を向くように表示されている。中第１出力回路１１Ｂの下面１１ＢＬ及び下第１出力回路１１Ｃの下面１１ＣＬに表示された文字についても、上第１出力回路１１Ａの下面１１ＡＬに表示された文字と同一の方向を向いている。また、上第１出力回路１１Ａの下面１１ＡＬ、中第１出力回路１１Ｂの下面１１ＢＬ、及び下第１出力回路１１Ｃの下面１１ＣＬにそれぞれ記載された「型番１」の文字の形状及び大きさは、互いに略同一である。
【００３２】
基板部材２における上第１出力回路１１Ａの近傍位置、具体的には、上第１出力回路１１Ａの右下部には、図１及び図３に示すように、「型番１」の文字が表示されている。この「型番１」の文字は、読みやすい向きを向いている。また、この「型番１」の文字は、上第１出力回路１１Ａに記載された「型番１」の文字よりも小さい文字とされている。なお、本実施形態では、基板部材２における上第１出力回路１１Ａの近傍位置に記載された文字は、「型番１」であり、上第１出力回路１１Ａに記載された文字と同一であるが、他の文字、例えば、上第１出力回路１１Ａに記載された文字と関連する文字であってもよい。例えば、第１出力回路１１に記載された「型番１」の文字を簡略化し、「型番」の頭文字をとって「Ｋ１」などとした文字であってもよい。あるいは、電子部品について機能や種類に分けてそれぞれに通し番号を付し、これらの通し番号を電子部品の近傍位置に記載する文字としてもよい。このときの通し番号は、電子部品の一部に付してもよいし、全部に付してもよい。電子部品の一部に付する場合には、複数系統に分けて（例えば「Ａ１」「Ａ２」・・・と「Ｂ１」［Ｂ２］・・・等）、通し番号を付してもよい。あるいは、入力回路には頭文字「Ｉ」、入力回路には頭文字の「Ｏ」を付加するなどの規則付けを行い、上第１出力回路１１Ａの近傍に記載された文字を「上１ＯＡ」もしくは「Ｕ１ＯＡ」などとしてもよい。基板部材２における上第１出力回路１１Ａの近傍位置に記載された文字は、上第１出力回路１１Ａに記載された文字数よりも数が少ない文字数となるようにしてもよいし、多い文字数となるようにしてもよい。
【００３３】
また、主要回路１０に表示された文字と、第１出力回路１１の下面１１Ｌに表示された文字とを比較すると、いずれも基板１の主要回路１０及び第１出力回路１１に記載された文字を見る者が、所定の一方向、例えば下側から見たときに、視点に近い側に文字の下部が位置しており、その意味で特定の向きとなるように表示されている。言い換えると、ここでいう特定の向きとは、基板１を一方向から見たときに、その文字等の同じ側、例えば下側が視点に近い側に位置する向きをいう。特定の向きは、同じ向きの面に表示されることもあるが、上記のように、異なる向きの面に表示された文字のそれぞれの向きが特定の向きとなることもある。
【００３４】
また、基板部材２における上第１出力回路１１Ａの近傍位置と同様に、基板部材２における中第１出力回路１１Ｂ及び下第１出力回路１１Ｃの近傍の右下部は、いずれも「型番１」の文字が読みやすい向きで表示されている。この「型番１」の文字は、上第１出力回路１１Ａの近傍位置に表示された「型番１」の文字と同じ形状であるが、大きさは小さくされている。なお、基板部材２における他の電子部品の近傍にも同様に、各電子部品と同一の文字が記載されているが、その説明は省略する。
【００３５】
図１及び図２に示すように、右上第２出力回路１２Ａの前面１２ＡＦ、右下第２出力回路１２Ｂの前面１２ＢＦ、及び左第２出力回路１２Ｃの前面１２ＣＦには、それぞれ「型番２」の文字が表示されている。右上第２出力回路１２Ａの前面１２ＡＦ、右下第２出力回路１２Ｂの前面１２ＢＦ、及び左第２出力回路１２Ｃの前面１２ＣＦにそれぞれ記載された文字は、それぞれ所定の一方向からその文字を見る者が読みにくい向き（以下、単に「読みにくい向き」ともいう）で記載されている。また、右上第２出力回路１２Ａの前面１２ＡＦ、右下第２出力回路１２Ｂの前面１２ＢＦ、及び左第２出力回路１２Ｃの前面１２ＣＦにそれぞれ記載された「型番２」の文字の大きさは、互いに略同一である。また、「型番２」の文字が記載された第２出力回路１２の前面１２Ｆは、主要回路１０における「型番１００」の文字が記載された前面１０Ｆと共通する方向を向いた面である。
【００３６】
図１及び図２に示すように、第３出力回路１３Ａの前面１３ＡＦには、「型番３」の文字が表示されている。第３出力回路１３Ａの前面１３ＡＦに表示された文字は、読みにくい向きで記載されている。また、第３出力回路１３Ａの前面１３ＡＦに表示された「型番３」の文字の大きさは、右上第２出力回路１２Ａの前面１２ＡＦ、右下第２出力回路１２Ｂの前面１２ＢＦ、及び左第２出力回路１２Ｃの前面１２ＣＦにそれぞれ表示された「型番２」の文字の形状および大きさと略同一である。また、「型番３」の文字が記載された第３出力回路１３Ａの前面１３ＡＦは、主要回路１０における「型番１００」の文字が記載された前面１０Ｆと共通する方向を向いた面である。
【００３７】
また、第２出力回路１２の前面１２Ｆと、第３出力回路１３Ａの前面１３ＡＦに記載された文字はいずれも読みにくい向きで表示されている。第３出力回路１３Ａが第１種類の識別電子部品であるのに対して、第２出力回路１２（右上第２出力回路１２Ａ、右下第２出力回路１２Ｂ、左第２出力回路１２Ｃ）は、第１所定電子部品となる。
【００３８】
図１〜図３に示すように、上第４出力回路１４Ａの前面１４ＡＦ及び下第４出力回路１４Ｂの前面１４ＢＦには、それぞれ「型番４」の文字が表示されている。上第４出力回路１４Ａの前面１４ＡＦ及び下第４出力回路１４Ｂの前面１４ＢＦに表示された文字は、それぞれ読みにくい向きで記載されている。また、上第４出力回路１４Ａの前面１４ＡＦ及び下第４出力回路１４Ｂの前面１４ＢＦにそれぞれ記載された「型番４」の文字の大きさは、右上第２出力回路１２Ａの前面１２ＡＦ、右下第２出力回路１２Ｂの前面１２ＢＦ、及び左第２出力回路１２Ｃの前面１２ＣＦにそれぞれ表示された「型番２」の文字の形状および大きさと略同一である。また、「型番４」の文字が記載された第４出力回路１４の前面１４Ｆは、主要回路１０における「型番１００」の文字が記載された前面１０Ｆと共通する方向を向いた面である。
【００３９】
図１及び図２に示すように、第５出力回路１５Ａの前面１５ＡＦには、「型番５」の文字が表示されている。第５出力回路１５Ａの前面１５ＡＦに表示された文字は、読みにくい向きで記載されている。また、第５出力回路１５Ａの前面１５ＡＦに表示された「型番５」の文字の大きさは、右上第２出力回路１２Ａの前面１２ＡＦ、右下第２出力回路１２Ｂの前面１２ＢＦ、及び左第２出力回路１２Ｃの前面１２ＣＦにそれぞれ表示された「型番２」の文字の形状および大きさと略同一である。また、「型番５」の文字が記載された第５出力回路１５の前面１５Ｆは、主要回路１０における「型番１００」の文字が記載された前面１０Ｆと共通する方向を向いた面である。
【００４０】
図１及び図２に示すように、右第１入力回路２１Ａの前面２１ＡＦ、中第１入力回路２１Ｂの前面２１ＢＦ、及び左第１入力回路２１Ｃの前面２１ＣＦには、それぞれ「型番３」の文字が表示されている。右第１入力回路２１Ａの前面２１ＡＦ、中第１入力回路２１Ｂの前面２１ＢＦ、及び左第１入力回路２１Ｃの前面２１ＣＦに表示された文字は、それぞれ読みやすい向きで記載されている。また、右第１入力回路２１Ａの前面２１ＡＦ、中第１入力回路２１Ｂの前面２１ＢＦ、及び左第１入力回路２１Ｃの前面２１ＣＦにそれぞれ記載された「型番３」の文字の大きさは、右上第２出力回路１２Ａの前面１２ＡＦ、右下第２出力回路１２Ｂの前面１２ＢＦ、及び左第２出力回路１２Ｃの前面１２ＣＦにそれぞれ表示された「型番２」の文字の形状および大きさと略同一である。また、「型番３」の文字が記載された第１入力回路２１の前面２１Ｆは、主要回路１０における「型番１００」の文字が記載された前面１０Ｆと共通する方向を向いた面である。
【００４１】
また、第３出力回路１３の前面に記載された文字の向きは、読みにくい向きとなっており、第１入力回路２１の前面に記載された文字の向きは、読みやすい向きとなっている。第３出力回路１３と第１入力回路２１とでは、同一種類の電子部品（識別電子部品）が使用されているが、それぞれの前面に記載された文字の向きを互いに反転させて異なる向きとなるようにすることで、第３出力回路１３と第１入力回路２１を外見から識別できるようにされている。第３出力回路１３は、第１種類の識別電子部品であり、第１入力回路２１は第２識別電子部品である。
【００４２】
図４に示すように、第１抵抗素子３１には、下から順に第１ラインＬ１、第２ラインＬ２、第３ラインＬ３、及び第４ラインＬ４からなる第１カラーコードＣＣ１が所定のマークとして描かれている。第１カラーコードＣＣ１における第１ラインＬ１〜第４ラインＬ４は、互いに異なる色として描かれている。また、第２抵抗素子３２〜第８抵抗素子３８においても、同様の第１ラインＬ１〜第４ラインＬ４からなる第１カラーコードＣＣ１が描かれている。第１抵抗素子３１〜第８抵抗素子３８は、第１カラーコードＣＣ１（第１ラインＬ１〜第４ラインＬ４）は、所定のマークの向きが共通するように、それぞれ一直線上に整列して配置されるように、並べられている。
【００４３】
また、第８抵抗素子３８に並べられた異性能抵抗素子４１には、第５ラインＬ５〜第８ラインＬ８からなる第２カラーコードＣＣ２が描かれている。異性能抵抗素子４１の第２カラーコードＣＣ２となる第５ラインＬ５〜第８ラインＬ８は、第１抵抗素子３１〜第８抵抗素子３８の第１カラーコードＣＣ１となる第１ラインＬ１〜第４ラインＬ４とでは、配色が互いに異なっている。また、第１抵抗素子３１〜第８抵抗素子３８の第１カラーコードＣＣ１（第１ラインＬ１〜第４ラインＬ４）と異性能抵抗素子４１の第２カラーコードＣＣ２（第５ラインＬ５〜第８ラインＬ８）とでは、第１ラインＬ１と第５ラインＬ５、第２ラインＬ２と第６ラインＬ６、第３ラインＬ３と第７ラインＬ７、第４ラインＬ４と第８ラインＬ８は、それぞれ互いに一直線上に配置されている。第１抵抗素子３１〜第８抵抗素子３８に描かれた第１カラーコードＣＣ１及び異性能抵抗素子４１に描かれた第２カラーコードＣＣ２は、例えば、抵抗素子の性能表示、例えば抵抗値及び許容差に応じて描かれるラインである。このため、第１抵抗素子３１〜第８抵抗素子３８、及び異性能抵抗素子４１は、いずれも抵抗素子としての種類が同一の電子部品であるが、その性能は異なっている。
【００４４】
また、図１及び図３に示すように、基板部材２の一面側において、右側の位置に上第１出力回路１１Ａ、中第１出力回路１１Ｂ、下第１出力回路１１Ｃが上下方向に並んで設けられている。これらの上第１出力回路１１Ａ、中第１出力回路１１Ｂ、下第１出力回路１１Ｃの左隣に、右上第２出力回路１２Ａ及び右下第２出力回路１２Ｂが上下に並んで配置されている。右上第２出力回路１２Ａは、高さ方向に見て、上第１出力回路１１Ａと中第１出力回路１１Ｂの間に配置されている。右下第２出力回路１２Ｂは、高さ方向に見て、中第１出力回路１１Ｂと下第１出力回路１１Ｃの間に配置されている。
【００４５】
右下第２出力回路１２Ｂの左隣には、左第２出力回路１２Ｃが配置されている。左第２出力回路１２Ｃは、右下第２出力回路１２Ｂの高さ位置と略同じ高さ位置に配置されている。左第２出力回路１２Ｃの直下には、第３出力回路１３Ａが配置されている。第３出力回路１３Ａは、下第１出力回路１１Ｃよりも低い位置に配置されている。
【００４６】
左第２出力回路１２Ｃの左隣には、上第４出力回路１４Ａが配置され、第３出力回路１３Ａの左隣には、下第４出力回路１４Ｂが配置されている。上第４出力回路１４Ａ及び下第４出力回路１４Ｂは、それぞれ左第２出力回路１２Ｃ及び第３出力回路１３Ａと略同じ高さ位置に配置されている。
【００４７】
上第４出力回路１４Ａ及び下第４出力回路１４Ｂの左隣には、右第１入力回路２１Ａ及び第５出力回路１５Ａが配置されている。右第１入力回路２１Ａは、上第４出力回路１４Ａよりも高い位置に配置されている。第５出力回路１５Ａは、上第４出力回路１４Ａよりも低い位置であり、下第４出力回路１４Ｂよりも高い位置に配置されている。
【００４８】
第５出力回路１５Ａの左下位置には、中第１入力回路２１Ｂが配置され、中第１入力回路２１Ｂの左側には、左第１入力回路２１Ｃが配置されている。中第１入力回路２１Ｂは、下第４出力回路１４Ｂよりも低い位置に配置されており、左第１入力回路２１Ｃは、中第１入力回路２１Ｂと略同じ高さ位置に配置されている。
【００４９】
また、上第４出力回路１４Ａの直上位置に、第１抵抗素子３１〜第８抵抗素子３８、さらには異性能抵抗素子４１が配置されている。また、左第１入力回路２１Ｃの上方には、主要回路１０が配置されており、右第１入力回路２１Ａの直上位置には、第１セグメント表示部５１〜第４セグメント表示部５４が配置され、第４セグメント表示部５４の右隣に電源確認ランプ５５が配置されている。
【００５０】
また、基板部材２の一面側の下端部には、右から順に第１入出力端子６１、第２入出力端子６２、及び第３入出力端子６３が配置されている。このうち、第１入出力端子６１は、右下第２出力回路１２Ｂの下方位置に配置されている。第２入出力端子６２は、左第１入力回路２１Ｃの下方位置に配置されている。第３入出力端子６３は、第２入出力端子６２のさらに左側に配置されている。
【００５１】
次に、各電子部品やスロットマシンに設けられた各部品の接続及び信号の入出力先について、図５〜図８を参照して説明する。図５（Ａ）に示すように、第３入出力端子６３には、遊技メダル払出センサ１から「ＭＥＯＵＴＳ１」、遊技メダル払出センサ２から「ＭＥＯＵＴＳ２」、設定キースイッチから「ＬＶＫＥＹＳＷ」、設定／リセットスイッチから「ＬＶ／ＲＳＴＷ」、遊技メダル補助収納庫センサから「ＯＶＥＲＳＷ」の各信号が入力される。第３入出力端子６３は、入力されたこれらの各信号を図６に示す左第１入力回路２１Ｃ及び中第１入力回路２１Ｂに出力する。また、第３入出力端子６３には、電源装置から電源が供給され、第３入出力端子６３を介して基板１における各電子部品に電流が供給される。左第１入力回路２１Ｃ及び中第１入力回路２１Ｂには、例えばメダルの投入や払出、スロットマシンの設定などに関する情報が入力される。
【００５２】
図５（Ｂ）に示すように、第１入出力端子６１には、第１回胴センサから「ＯＲＧＳＥＮ１」、第２回胴センサから「ＯＲＧＳＥＮ２」、第３回胴センサから「ＯＲＧＳＥＮ３」、の各信号が入力される。第１入出力端子６１は、入力されたこれらの各信号を図６に示す右第１入力回路２１Ａに出力する。右第１入力回路２１Ａには、例えばスロットマシンのリールに関する情報が入力される。
【００５３】
図５（Ｃ）に示すように、第２入出力端子６２には、精算スイッチから「ＰＡＹ」、ＭＡＸＢＥＴスイッチから「ＭＢＥＴ」、第１回胴停止スイッチから「ＳＰＳＷ１」、第２回胴停止スイッチから「ＳＰＳＷ２」、第３回胴停止スイッチから「ＳＰＳＷ３」、遊技メダルセンサ１から「ＳＥＮ１」、遊技メダルセンサ２から「ＳＥＮ２」、遊技メダルセンサ３から「ＳＥＮ３」、ドアセンサから「ＤＯＯＲ」、ドアリセットから「ＲＥＳＥＴ」の各信号が入力される。第２入出力端子６２は、入力されたこれらの各信号を図６に示す右第１入力回路２１Ａ、中第１入力回路２１Ｂ、及び左第１入力回路２１Ｃに出力する。右第１入力回路２１Ａ、中第１入力回路２１Ｂ、及び左第１入力回路２１Ｃには、例えば遊技者や店員などがスロットマシンについて操作するスイッチに関する情報が入力される。
【００５４】
図５（Ｄ）に示すように、図示しない電源装置に対して、電源確認ランプ５５が接続されており、電源確認ランプ５５と電源装置の間には、異性能抵抗素子４１が介在されている。異性能抵抗素子４１は、電源確認ランプ５５に接続されている。電源確認ランプ５５は、電源装置によってスロットマシンの電源がＯＮとなったときに電流が供給されて点灯し、電源装置によってスロットマシンの電源がＯＦＦとなったときに電流の供給が停止して消灯する。異性能抵抗素子４１は、電源確認ランプ５５に供給される電流を減圧している。
【００５５】
図６に示すように、右第１入力回路２１Ａ、中第１入力回路２１Ｂ、及び左第１入力回路２１Ｃは、第１入出力端子６１、第２入出力端子６２、及び第３入出力端子６３から出力された各信号の調圧や整流などの処理を行ってを主要回路１０に出力する。主要回路１０は、右第１入力回路２１Ａ、中第１入力回路２１Ｂ、及び左第１入力回路２１Ｃから出力された各信号に基づいて演算処理を施して、スロットマシンを制御するための各信号を生成し、図７及び図８に示す出力回路に出力する。
【００５６】
具体的に、主要回路１０は、図７に示す右上第２出力回路１２Ａに「Ｋ１ＭＯＴＯＲ０」、「Ｋ１ＭＯＴＯＲ１」、「Ｋ１ＭＯＴＯＲ２」、「Ｋ１ＭＯＴＯＲ３」、「Ｋ２ＭＯＴＯＲ０」、「Ｋ２ＭＯＴＯＲ１」、「Ｋ２ＭＯＴＯＲ２」、「Ｋ２ＭＯＴＯＲ３」、「ＯＵＴＦ３」の各信号を出力する。これらの各信号は、一部を除いて右上第２出力回路１２Ａ、上第１出力回路１１Ａ、及び中第１出力回路１１Ｂにおいて調圧や整流などの処理が行われ、図５（Ｂ）に示す第１入出力端子６１に出力される。第１入出力端子６１からは、「Ｋ１ＭＯＴＯＲ０」が第１回胴モータΦ０、「Ｋ１ＭＯＴＯＲ１」が第１回胴モータΦ１、「Ｋ１ＭＯＴＯＲ２」が第１回胴モータΦ２、「Ｋ１ＭＯＴＯＲ３」が第１回胴モータΦ３にそれぞれ出力される。また、「Ｋ２ＭＯＴＯＲ０」が第２回胴モータΦ０、「Ｋ２ＭＯＴＯＲ１」が第２回胴モータΦ１、「Ｋ２ＭＯＴＯＲ２」が第２回胴モータΦ２、「Ｋ２ＭＯＴＯＲ３」が第２回胴モータΦ３にそれぞれ出力される。右上第２出力回路１２Ａ、上第１出力回路１１Ａ、及び中第１出力回路１１Ｂは、例えばスロットマシンのリール停止に関する信号を出力する。
【００５７】
主要回路１０は、図７に示す右下第２出力回路１２Ｂに「Ｋ３ＭＯＴＯＲ０」、「Ｋ３ＭＯＴＯＲ１」、「Ｋ３ＭＯＴＯＲ２」、「Ｋ３ＭＯＴＯＲ３」、「ＯＵＴＦ４」の各信号を出力する。これらの各信号は、一部を除いて右下第２出力回路１２Ｂ及び下第１出力回路１１Ｃにおいて調圧や整流などの処理が行われ、図５（Ｂ）に示す第２入出力端子６２に出力される。第２入出力端子６２からは、「Ｋ３ＭＯＴＯＲ０」が第３回胴モータΦ０、「Ｋ３ＭＯＴＯＲ１」が第３回胴モータΦ１、「Ｋ３ＭＯＴＯＲ２」が第３回胴モータΦ２、「Ｋ３ＭＯＴＯＲ３」が第３回胴モータΦ３にそれぞれ出力される。右下第２出力回路１２Ｂ及び下第１出力回路１１Ｃは、例えばスロットマシンのリール停止に関する信号を出力する。
【００５８】
主要回路１０は、図７に示す左第２出力回路１２Ｃに「ＳＰＬＥＤ１」、「ＳＰＬＥＤ２」、「ＳＰＬＥＤ３」、「ＭＡＸＬＥＤ」、「ＢＬＫ」、「Ｋ１ＣＯＭ」、「Ｋ２ＣＯＭ」、「Ｋ３ＣＯＭ」、「ＲＳＴ」、「ＯＵＴＦ５」の各信号を出力する。これらの各信号は、一部を除いて左第２出力回路１２Ｃ及び第３出力回路１３Ａ等において調圧や整流などの処理が行われる。これらの各信号のうち、「ＳＰＬＥＤ１」、「ＳＰＬＥＤ２」、「ＳＰＬＥＤ３」、「ＭＡＸＬＥＤ」は、図５（Ｃ）に示す第２入出力端子６２に出力され、「ＢＬＫ」「Ｋ１ＣＯＭ」、「Ｋ２ＣＯＭ」、「Ｋ３ＣＯＭ」は、図５（Ｂ）に示す第１入出力端子６１に出力される。第２入出力端子６２からは、「ＳＰＬＥＤ１」が第１回胴停止ＬＥＤ、「ＳＰＬＥＤ２」が第２回胴停止ＬＥＤ、「ＳＰＬＥＤ３」が第３回胴停止ＬＥＤ、「ＭＡＸＬＥＤ」がＭＡＸＢＥＴＬＥＤにそれぞれ出力される。第１入出力端子６１からは、「ＢＬＫ」が遊技メダルブロッカ、「Ｋ１ＣＯＭ」が第１モータコモン、「Ｋ２ＣＯＭ」が第２モータコモン、「Ｋ３ＣＯＭ」が第３モータコモンにそれぞれ出力される。左第２出力回路１２Ｃ及び第３出力回路１３Ａは、例えば遊技者が視認するランプの点灯・点滅等に関する信号を出力する。
【００５９】
主要回路１０は、図８に示す下第４出力回路１４Ｂに「ＳＥＧａ」、「ＳＥＧｂ」、「ＳＥＧｃ」、「ＳＥＧｄ」、「ＳＥＧｅ」、「ＳＥＧｆ」、「ＳＥＧｇ」、「ＯＵＴＦ７」の各信号を出力する。これらの各信号は、一部を除いて下第４出力回路１４Ｂにおいて調圧や整流などの処理が行われ、図５（Ｃ）に示す第２入出力端子６２に出力される。第２入出力端子６２からは、「ＳＥＧａ」が投入枚数１ＬＥＤ、「ＳＥＧｂ」が投入枚数２ＬＥＤ、「ＳＥＧｃ」が投入枚数３ＬＥＤ、「ＳＥＧｄ」が再遊技表示ＬＥＤ、「ＳＥＧｅ」が演出表示ＬＥＤ、「ＳＥＧｆ」が遊技開始表示ＬＥＤ、「ＳＥＧｇ」が投入可能表示ＬＥＤの７セグにそれぞれ出力される。下第４出力回路１４Ｂは、例えば遊技者が視認するランプの点灯・点滅等に関する信号を出力する。
【００６０】
主要回路１０は、図８に示す上第４出力回路１４Ａに「ＤＧ１」、「ＤＧ２」、「ＤＧ３」、「ＤＧ４」、「ＤＧ５」、「ＤＧ６」、「ＯＵＴＦＡ」の各信号を出力する。「ＤＧ１」〜「ＤＧ６」は、ＬＥＤ等のランプの点灯や点滅を管理するデジット信号である。これらの各信号は、一部を除いて上第４出力回路１４Ａにおいて調圧や整流などの処理が行われ、図５（Ｃ）に示す第２入出力端子６２に出力される。第２入出力端子６２からは、「ＤＧ１」がＤＧ１、「ＤＧ２」がＤＧ２、「ＤＧ３」がＤＧ３、「ＤＧ４」がＤＧ４、「ＤＧ５」がＤＧ５、「ＤＧ６」がＤＧ６にそれぞれ出力される。上第４出力回路１４Ａは、例えばランプの点灯に関するデジット信号を出力する。
【００６１】
主要回路１０は、図８に示す第５出力回路１５Ａに第１セグメント表示部５１〜第４セグメント表示部５４の各セグメントの点灯及び消灯（点滅）の制御を行う点灯制御信号送信する。主要回路１０では、スロットマシンにおける役比に関する数値が算出されており、算出された数値等を第１セグメント表示部５１〜第４セグメント表示部５４の各セグメントを点灯、消灯させるとによって表示する。このため、主要回路１０は、第１セグメント表示部５１〜第４セグメント表示部５４の各セグメントを点灯させるための点灯制御信号を第５出力回路１５Ａに出力し、第５出力回路１５Ａから第１セグメント表示部５１〜第４セグメント表示部５４に出力する。第５出力回路１５Ａは、例えば遊技者が視認するランプの点灯・点滅等に関する信号を出力する。
【００６２】
第５出力回路１５と第１セグメント表示部５１〜第４セグメント表示部５４の間には、第１抵抗素子３１〜第８抵抗素子３８が配置されている。第１抵抗素子３１〜第８抵抗素子３８は、第５出力回路１５及び第１セグメント表示部５１〜第４セグメント表示部５４に接続されている。第５出力回路１５Ａから第１セグメント表示部５１〜第４セグメント表示部５４に出力される各セグメントに点灯制御信号は、第１抵抗素子３１〜第８抵抗素子３８によって各セグメントに表示されるランプの光量等を調整するように調圧される。
【００６３】
以上のとおり、本実施形態に係る遊技機に設けられる基板１においては、複数の電子部品のうち、第１出力回路１１（上第１出力回路１１Ａ、中第１出力回路１１Ｂ、下第１出力回路１１Ｃ）に記載された「型番１」の文字は、その下面１１Ｌ（１１ＡＬ，１１ＢＬ，１１ＣＬ）に記載されている。このため、第１出力回路１１を一方向、具体的には斜め下方向（左斜め下方向または右斜め下方向）からを同時に見た場合に、下面１１Ｌに記載された「型番１」の文字を一気に視認することができる。したがって、基板１に正しい部品が取り付けられていることを容易に確認することができる。
【００６４】
また、これらの文字は、いずれも読みやすい向きで記載されており、各文字の向きが共通とされている。このため、出力回路として同様の機能を有するとともに、同一の回路が用いられている第１出力回路１１を視認するにあたり、一方向、具体的には斜め下方向から見た場合にいずれも「型番１」の文字を同一方向に視認することができる。したがって、基板１に正しい部品が取り付けられていることを容易に確認することができる。
【００６５】
また、第１出力に記載された文字の向きは特定の向きとなっており、主要回路１０に記載されている「型番１００」の文字も特定の向きを向いている。このため、基板１を一方向、ここでは斜め下方向から見たときに、主要回路１０の前面１０Ｆに表示された「型番１００」の文字と、第１出力回路１１の下面１１Ｌに表示された「型番１」の文字をいずれもその文字の下側からのぞき込む方向で見ることができる。このため、「型番１００」の文字を視認することによって主要回路１０の取付を確認する際に、合わせて「型番１」の文字も確認し、第１出力回路１１の取付を確認しやすくすることができる。したがって、基板に正しい部品が取り付けられていることを容易に確認することができる。
【００６６】
また、主要回路１０と例えば第１入力回路２１との関係においては、主要回路１０の前面１０Ｆに「型番１００」の文字が記載され、第１入力回路２１の前面２１Ｆに「型番３」の文字が記載されている。また、「型番１００」の文字と「型番３」の文字は、いずれも読みやすい向きで記載されている。このため、「型番１００」の文字を視認することによって主要回路１０の取付を確認する際に、合わせて「型番３」の文字も確認しやすくすることができる。したがって、基板に正しい部品が取り付けられていることを容易に確認することができる。
【００６７】
また、基板１に搭載された電子部品において、文字が表示された電子部品のうち、半数以上の電子部品、具体的には、主要回路１０、上第１出力回路１１Ａ、中第１出力回路１１Ｂ、下第１出力回路１１Ｃ、右上第２出力回路１２Ａ、右下第２出力回路１２Ｂ、第５出力回路１５Ａ、右第１入力回路２１Ａ、中第１入力回路２１Ｂ、左第１入力回路２１Ｃは、記載された文字が特定の方向を向いている。このため、基板１を一方向から同時に見た場合に、これらの電子部品に記載された文字を一気に視認することができる。したがって、基板１に搭載された文字が記載された電子部品のうちの半数以上の電子部品について、基板に正しい部品が取り付けられていることを主要回路１０とともに容易に確認することができる。
【００６８】
また、基板部材２における第１出力回路１１の実装位置の近傍には、「型番１」の文字が記載されている。この「型番１」の文字は、第１出力回路１１の下面１１Ｌに記載された文字と同一である。したがって、基板部材２における第１出力回路１１の実装位置の近傍及び第１出力回路１１の下面１１Ｌにそれぞれ記載された「型番１」の文字を確認することにより、第１出力回路１１が基板部材２おける正しい位置に取り付けられていることを容易に確認することができる。
【００６９】
また、基板部材２における第１出力回路１１の実装位置の近傍に記載された「型番１」の文字は、図９に示すように、第１出力回路１１の下面１１Ｌに記載された「型番１」の文字よりも小さくされている。このため、基板部材２に多数の電子部品を配置した場合でも、各電子部品に対応する文字を基板部材２により多く記載することができる。
【００７０】
また、基板部材２における第１出力回路１１の実装位置の近傍に記載された「型番１」の文字は、特定の向きを向いており、第１出力回路１１の下面１１Ｌに記載された「型番１」の文字と向きが共通する。このため、基板部材２に記載された「型番１」の文字と第１出力回路１１に記載された「型番１」の文字を容易に確認することができる。
【００７１】
また、本実施形態に係る遊技機に設けられる基板１においては、第３出力回路１３と第１入力回路２１で同じ種類の回路が使用されている。このため、第３出力回路１３と第１入力回路２１を見間違えやすくなる可能性がある。この点、本実施形態の基板１では、第３出力回路１３と第１入力回路２１を外見から識別できるようにして基板部材２に搭載している。具体的には、第３出力回路１３に表示される「型番３」の文字を読みにくい向きで記載し、第１入力回路２１に表示される「型番３」の文字を読みやすい向きで記載して、「型番３」の文字と「型番３」の文字を互いに反転させた関係としている。このため、第３出力回路１３と第１入力回路２１には、同じ「型番３」の文字が記載されているものの、第３出力回路１３と第１入力回路２１を容易に識別することができ、基板に正しい部品が取り付けられていることを容易に確認することができる。
【００７２】
また、電子部品に型番等が記載される場合、通常、電子部品における所定の位置に型番を記載する。この場合、電子部品の向きを変えるだけで電子部品に記載された文字の向きを変えることができるので、第３出力回路１３と第１入力回路２１に記載された「型番３」の向きは、容易に変えることができる。特に、電子部品が対称形または対称形に近い形状であるときには、同じ又は近似する領域に対して、向きを変えた状態で電子部品を搭載させることができる。
【００７３】
また、第３出力回路１３と第１入力回路２１として用いられた回路部品は、出力回路と入力回路の両方で用いられており、外観上は近似するものの、その用途が大きく異なっている。この点、第３出力回路１３と第１入力回路２１について、表示された文字の向きを変えることによって外見から識別できるようにされているので、信号の入力に用いられる電子部品と信号の出力に用いられる電子部品という用途の異なる電子部品を容易に区別することができる。
【００７４】
また、基板１には、出力回路として、複数種類の電子部品としての回路が設けられている。このうちの１つの種類である第２出力回路１２のうちの左第２出力回路１２Ｃと、他の１つの種類である第３出力回路１３では、記載された文字がいずれも読みにくい向きを向いている。このため、記載されている文字が読みやすい向きを向く第１入力回路２１との区別を行い易くすることができる。したがって、出力回路と入力回路という種類の異なる電子部品を容易に区別することができ、基板に正しい部品が取り付けられていることを容易に確認することができる。
【００７５】
また、左第２出力回路１２Ｃと第３出力回路１３は、互いに近傍位置となるように基板１に搭載されている。このため、出力回路（左第２出力回路１２Ｃと第３出力回路１３）と入力回路（第１入力回路２１）という種類の異なる電子部品を容易に区別することができ、基板に正しい部品が取り付けられていることを容易に確認することができる。
【００７６】
また、本実施形態に係る遊技機に設けられる基板１においては、基板１に第１抵抗素子３１〜第８抵抗素子３８が設けられており、第１抵抗素子３１〜第８抵抗素子３８はそれぞれ第１セグメント表示部５１〜第４セグメント表示部５４に接続されている。第１セグメント表示部５１〜第４セグメント表示部５４は、役比を表示する装置であり、第１セグメント表示部５１〜第４セグメント表示部５４に表示される数値は、非常に重要性の高い数値である。このような重要性の高い数値を表示する装置に接続される電子部品としては、不正な交換や取付間違えなどをより確実に防止する必要がある。この点、第１抵抗素子３１〜第８抵抗素子３８には、いずれも同一の電子部品（抵抗素子）が使用されている。この抵抗素子の性能、具体的には、抵抗値は、第１カラーコードＣＣ１としての第１ラインＬ１〜第４ラインＬ４の態様によって表示されている。第２抵抗素子３２〜第８抵抗素子３８には、第１抵抗素子３１と同様の第１カラーコードＣＣ１（第１ラインＬ１〜第４ラインＬ４）が付されており、同一の性能であることを意味している。
【００７７】
ここで、第１抵抗素子３１〜第８抵抗素子３８にいては、互いに第１ラインＬ１〜第４ラインＬ４がそれぞれ一直線上に配置されるように並べられ、所定のマークの向きが共通するようにされている。このため、第１抵抗素子３１〜第８抵抗素子３８の一部の抵抗素子が取り替えられたり、取付間違えがあったりしても、他の抵抗素子との関係でそれらの抵抗素子を見つけやすくすることができる。したがって、正しい部品として。、第１抵抗素子３１〜第８抵抗素子３８が基板１に取り付けられていることを容易に確認することができる。
【００７８】
また、第１抵抗素子３１〜第８抵抗素子３８に付された第１ラインＬ１〜第４ラインＬ４は、第１抵抗素子３１〜第８抵抗素子３８の性能（抵抗値）を示す印である。このため、第１抵抗素子３１〜第８抵抗素子３８として、正しい性能の抵抗素子が取り付けられているかを容易に確認することができる。
【００７９】
また、第１抵抗素子３１〜第８抵抗素子３８に付された第１ラインＬ１〜第４ラインＬ４がそれぞれ一直線上に整列された状態となるように第１抵抗素子３１〜第８抵抗素子３８が配置されている。このため、第１抵抗素子３１〜第８抵抗素子３８に付された第１ラインＬ１〜第４ラインＬ４の比較を容易に行うことができる。
【００８０】
また、第１抵抗素子３１〜第８抵抗素子３８に付された第１カラーコードＣＣ１（第１ラインＬ１〜第４ラインＬ４）と、異性能抵抗素子４１に付された第２カラーコードＣＣ２（第５ラインＬ５〜第８ラインＬ８）は、互いに異なる配色となっているが、第１ラインＬ１と第５ラインＬ５、第２ラインＬ２と第６ラインＬ６、第３ラインＬ３と第７ラインＬ７、第４ラインＬ４と第８ラインＬ８は、それぞれ互いに一直線上に配置されている。このため、第１抵抗素子３１〜第８抵抗素子３８と異性能抵抗素子４１とでは、性能及び用途が異なるものの、そのカラーコードの比較を容易に行うことができる。その結果、正しい性能の抵抗素子が取り付けられているかを容易に確認することができる。
【００８１】
また、性能が同一である複数の抵抗素子がパッケージされている場合、通常、カラーコードが揃った状態でケースの中に収容されていることが多い。このパッケージされた複数の抵抗素子を基板１に搭載するにあたり、本実施形態の第１抵抗素子３１〜第８抵抗素子３８のように、第１カラーコードＣＣ１の向きが共通していることにより、複数の抵抗素子の実装作業を簡便なものとすることができる。
【００８２】
また、本実施形態に係る基板１では、第２出力回路１２〜第５出力回路１５、及び第１入力回路２１においては、それぞれの前面１２Ｆ〜１５Ｆ，２１Ｆに「型番２」〜「型番５」、「型番３」の文字が記載されている。また、主要回路１０の前面１０Ｆに「型番１００」の文字が記載されている。これらの第２出力回路１２〜第５出力回路１５、及び第１入力回路２１の前面１２Ｆ〜１５Ｆ，２１Ｆ、主要回路１０の前面１０Ｆは、互いに共通する方向を向いた面である。このため、主要回路１０の前面１０Ｆの「型番１００」の文字を視認する際に、第２出力回路１２〜第５出力回路１５、及び第１入力回路２１の前面１２Ｆ〜１５Ｆ，２１Ｆに記載された「型番２」〜「型番５」、「型番３」の文字を視認しやすくできる。したがって、基板に正しい部品が取り付けられていることを容易に確認することができる。
【００８３】
また、第２出力回路１２〜第５出力回路１５、及び第１入力回路２１の前面１２Ｆ〜１５Ｆ，２１Ｆと、主要回路１０の前面１０Ｆは、いずれも基板部材２におけるこれらの電子部品が実装された実装面の向きと共通する方向を向いた面である。このため、基板部材２の実装面を見ることにより、第２出力回路１２〜第５出力回路１５、及び第１入力回路２１の前面１２Ｆ〜１５Ｆ，２１Ｆと、主要回路１０の前面１０Ｆに記載された文字を同時に視認しやすくなる。したがって、基板に正しい部品が取り付けられていることを容易に確認することができる。
【００８４】
次に、本発明の変形例について説明する。図１０は、変形例の基板の要部を拡大した斜視図である。図１０に示すように、本変形例では、図１に示す主要回路１０に代えて、他の主要回路１１０が基板部材２に搭載されているほかは、上記の実施形態と同様である。図１０では、複数の電子部品のうち、主要回路１１０及び第１出力回路１１のみを示している。
【００８５】
この変形例に係る主要回路１１０では、主要回路１１０の下面１１０Ｌに「型番２００」の文字が記載されている。このため、主要回路１１０における「型番２００」の文字が記載された下面１１０Ｌと、第１出力回路１１における「型番１」の文字が記載された下面１１Ｌは、共通する方向を向いた面である。また、主要回路１１０における「型番２００」の文字が表示された下面１１０Ｌは、主要回路１１０が実装された基板部材２の実装面に直交する方向を向いた面である。また、図１に示す主要回路１０では、その下面及び上面から基板部材２の配線等に接続されるピン等が伸び出している。これに対して、主要回路１１０では、その後面（基板部材２の実装面に対向する面）から、基板部材２の配線等に接続されるピン等が伸び出している。
【００８６】
このように、主要回路１１０の下面１１０Ｌに「型番２００」の文字が記載されている。第１出力回路１１を一方向、具体的には斜め下方向（左斜め下方向または右斜め下方向）からを同時に見た場合に、「型番２００」の文字と第１出力回路１１の下面１１Ｌに記載された「型番１」の文字を一気に視認することができる。したがって、基板部材２の実装面の異なる方向を向いた面に「型番２００」の文字が表示されていたとしても、主要回路１１０が実装された基板１に正しい部品が取り付けられていることを容易に確認することができる。
【００８７】
また、主要回路１１０の下面１１０Ｌに「型番２００」の文字が表示されていた場合、第２出力回路１２〜第５出力回路１５、及び第１入力回路２１の前面１２Ｆ〜１５Ｆ，２１Ｆに表示された「型番２」「型番３」「型番４」「型番５」「型番３」の文字も「型番２００」の文字と一気に視認することができる。したがって、基板部材２の実装面に異なる方向を向いた面に「型番２００」の文字が表示されていたとしても、主要回路１１０の基板１に正しい部品が取り付けられていることを容易に確認することができる。
【００８８】
図１１は、他の変形例の基板の要部を拡大した平面図である。図１１に示す例においては、出力回路の前面に表示された文字の向きが出力回路ごとに異なっている。具体的に、主要回路２１０の前面に表示された「型番３００」の文字は、読みやすい向きを向いている。また、第１出力回路２１１に表示された「型番１」の文字は、第１出力回路２１１の前面において読みやすい向きを向いている。第２出力回路２１２に表示された「型番２」の文字は、第２出力回路２１２の前面において読みにくい向きを向いている。第３出力回路２１３に表示された「型番３」の文字は、第３出力回路２１３の前面において読みやすい向きを向いている。
【００８９】
この変形例では、主要回路２１０の前面に表示された「型番３００」の文字、第１出力回路２１１〜第３出力回路２１３にそれぞれ表示された「型番１」〜「型番３」の文字は、読みやすい向きを向いていたり読みにくい向きを向いていたりして天地が不統一となっている。しかしながら、これらの「型番３００」「型番１」〜「型番３」の文字は、いずれも互いに向きが共通する主要回路２１０、第１出力回路２１１〜第３出力回路２１３の各前面に表示されている。このため、天地の向きは異なるものの、これらの文字を一気に視認することができる。したがって、これらの電子部品が設けられた基板に正しい部品が取り付けられていることを容易に確認することができる。
【００９０】
図１２は、他の変形例の基板の要部を拡大した平面である。図１２においては、複数の抵抗素子の整列の態様の変形例を示している。図１２（Ａ）に示す変形例では、同じ方向を向いた第１抵抗素子３１〜第８抵抗素子３８が千鳥に配置されており、第１抵抗素子３１〜第８抵抗素子３８に描かれて第１カラーコードＣＣ１となる第１ラインＬ１は、隣り合う抵抗素子ごとに上下に段差を生じるようにして整列されている。第２ラインＬ２〜第４ラインＬ４についても、第１ラインＬ１と同様に、隣り合う抵抗素子ごとに上下に段差を生じるようにして整列されている。このように、隣り合う抵抗素子同士が千鳥に配置され、第１ラインＬ１〜第４ラインＬ４が上下に段差が生じるように整列された態様にして、第１カラーコードＣＣ１（第１ラインＬ１〜第４ラインＬ４）の向きが共通するようにしていもよい。
【００９１】
図１２（Ｂ）に示す変形例では、同じ方向を向いた第１抵抗素子３１〜第５抵抗素子３５が、その長手方向に連続するように配置されている。この変形例では、第１抵抗素子３１〜第５抵抗素子３５のそれぞれにおける第１カラーコードＣＣ１（第１ラインＬ１〜第４ラインＬ４）は、直線上等には配置されていないが、これらの向きは共通している。言い換えると、第１ラインＬ１〜第４ラインＬ４が一直線上に配置される場合には、複数の抵抗素子がその第１ラインＬ１〜第４ラインＬ４が延在する方向に沿って並設され、この変形例では、複数の抵抗素子がその第１ラインＬ１〜第４ラインＬ４が延在する方向に交差（直交）する方向に沿って並設される。このように、複数の抵抗素子は、その第１ラインＬ１〜第４ラインＬ４が延在する方向に交差（直交）する方向に沿って並設されることによって第１ラインＬ１〜第４ラインＬ４の向きが共通するように設けられてもよい。要は、複数の抵抗素子はバラバラではない態様で配置されていればよい。
【００９２】
なお、今回開示された実施の形態はすべての点で例示であって制限的なものではないと考えられるべきである。本発明の範囲は上記した説明ではなく特許請求の範囲によって示され、特許請求の範囲と均等の意味及び範囲内でのすべての変更が含まれることが意図される。
【００９３】
例えば、上記の実施形態では、基板１は、スロットマシンの筐体の奥方の板の手前側の面に固定されるが、他の面、例えば、筐体の内左側の右面または内右側の左面に設けられてもよいし、スロットマシンにおけるリールユニットの上面に設けられていてもよい。また、スロットマシンの前扉におけるリール窓が設けられた位置の上方に設けられていてもよい。また、基板の向きは、どの向きでもよく、上記の実施形態では、広い面（電子部品の実装面）が前面を向くように配置されているが、当該広い面が上方向または下方向を向くようにしてもよいし、左右いずれかの方向を向くようにしてもよい。また、前後上下左右の各軸の少なくとも一軸に対して傾斜する角度で配置されてもよい。
【００９４】
また、上記の例では、基板１は、遊技の制御を行う主要回路１０を備えるいわゆる主基板であるが、他の基板であってもよい。例えば、スロットマシンの演出を主に司る演出基板であってもよいし、電源の供給に関する電源基板であってもよい。または、その他の基板、例えば音声制御基板、ランプ制御基板、中継基板、払出制御基板、情報端子基板、発射制御基板などであってもよい。また、上記の例では、基板１は、スロットマシンに設けられた基板であるが、他の遊技機、例えばパチンコ遊技機（パチンコ機）に設けられた基板であってもよい。
【００９５】
また、上記の例では、文字が記載された電子部品は回路素子、例えば集積回路であるが、他の電子部品であってもよい。例えば、トランジスタ、抵抗、コンデンサなどの素子であってもよい。また、上記の例では、基板部材２における電子部品の実装面と共通する方向を向いた面、またはその実装面に直交する面に文字が記載されているが、基板部材２における電子部品の実装面と電子部品における文字が記載される面との関係は、他の関係となっていてもよい。例えば、基板部材２の実装面に対して、傾斜する面を有する電子部品のその傾斜する面に文字が記載されていてもよいし、円筒状の電子部品の側面に文字が記載されていてもよい。
【００９６】
また、上記の例では、電子部品を経由して入出力される信号は、第１入出力端子６１、第２入出力端子６２、及び第３入出力端子６３を介する以外には、基板１の外部に送信されないが、これらの入出力端子を介することなく、外部との間で信号の入出力が行われるようにしてもよい。例えば、第１セグメント表示部５１〜第４セグメント表示部３４に表示される役比に関する信号を、基板１の外部に出力できるようにしてもよい。さらには、基板１等のスロットマシン内の基板から出力される信号を、スロットマシンの外部の機器に出力できるようにしてもよいし、基板１等のスロットマシン内の基板に外部から信号が入力されるようにしてもよい。例えば、スロットマシンに関する情報を、ホールに設けられるデータ表示器等に出力できるようにしてもよい。
【００９７】
また、上記の例では、基板部材２上においては、文字が記載されたすべての電子部品の電子部品の近傍に文字が記載されているが、すべての電子部品のうちの一部の近傍にのみ文字が記載されていてもよい。例えば、主要回路１０の近傍にのみ文字が記載されていてもよいし、出力回路の近傍にのみ文字が記載されていてもよい。また、基板部材２における上第１出力回路１１Ａの近傍位置に記載された文字は、上記の第１出力回路１１Ａの近傍に記載された文字として説明した関連する文字であってもよい。
【００９８】
また、電子部品との関係で基板部材２に記載される文字が異なっていてもよい。例えば、出力回路の近傍には、出力回路に記載された文字と同一の文字が記載され、入力回路の近傍には、入力回路に記載された文字と関連する文字が記載されるようにしてもよい。また、１の電子部品、例えば出力回路の近傍では電子部品の上部に文字が記載され、他の電子部品、例えば入力回路の近傍では電子部品の下部に文字が記載されていてもよい。
【００９９】
また、電子部品との関係で基板部材２に記載される文字の形状（フォント）、大きさ、向きなどが異なるようにしてもよい。また、各電子部品に記載される文字についても、電子部品ごとに記載される文字の形状（フォント）、大きさ、向きなどが異なるようにしてもよい。さらには、基板部材２上における電子部品の位置関係に応じて、基板部材２における電子部品の近傍に記載される文字や電子部品に記載される文字の形状（フォント）、大きさ、向きなどが異なるようにしてもよい。
【０１００】
（１）本発明の遊技機は、遊技を行う遊技機（例えば、スロットマシン、パチンコ遊技機等）であって、複数種類の電子部品（例えば、主要回路、入力回路、出力回路、入出力端子、抵抗、トランジスタ、コンデンサ等）が搭載された基板（例えば、基板１等）を備え、前記複数種類の電子部品は、文字情報（例えば、上第１出力回路１１Ａ、中第１出力回路１１Ｂ、下第１出力回路１１Ｃに記載された「型番１」の文字等）が記された複数の特定電子部品（例えば、上第１出力回路１１Ａ、中第１出力回路１１Ｂ、下第１出力回路１１Ｃ等）を含んでおり、前記複数の特定電子部品は、それぞれに記された前記文字情報の向きが共通する（例えば、上第１出力回路１１Ａ、中第１出力回路１１Ｂ、下第１出力回路１１Ｃに表示された「型番１」の文字は、いずれも読みやすい向きを向いている等）ように前記基板に搭載されていることを特徴とする。
【０１０１】
このような構成によれば、電子部品に記された文字情報に対して、一方向からの視認で認識し易くできる。このため、基板に正しい部品取り付けられていることを容易に確認できる。
【０１０２】
（２）上記（１）に記載の遊技機において、前記複数種類の電子部品は、遊技の制御を行う特別電子部品（例えば、主要回路１０等）を含み、前記特別電子部品には、文字情報が記されており（例えば、主要回路１０に「型番１００」の文字が記載されている等）、複数の前記特定電子部品における前記文字情報の向き（例えば、第１出力回路１１に記載された「型番１」の文字の向き等）と、前記特別電子部品における前記文字の向き（例えば、主要回路１０に記載された「型番１００」の文字の向き等）が、いずれも特定の向きとなるように、複数の前記特定電子部品及び前記特別電子部品が前記基板に搭載されているようにしてもよい。
【０１０３】
このような構成によれば、特定電子部品とともに文字情報を認識し易くできる。
【０１０４】
（３）上記（２）の遊技機において、前記基板に搭載され、文字情報が記された複数の前記電子部品（例えば、主要回路１０、第１出力回路１１〜第５出力回路１５、第１入力回路２１）のうちの半数を超える前記電子部品（例えば、基板部材２に搭載された電子部品であって文字が記載された電子部品のうちの主要回路１０、上第１出力回路１１Ａ、中第１出力回路１１Ｂ、下第１出力回路１１Ｃ、右第１入力回路２１Ａ、中第１入力回路２１Ｂ、左第１入力回路２１Ｃ等）は、それぞれに記された前記文字情報の面が前記特定の向きとなる（例えば、主要回路１０、上第１出力回路１１Ａ、中第１出力回路１１Ｂ、下第１出力回路１１Ｃ、右第１入力回路２１Ａ、中第１入力回路２１Ｂ、左第１入力回路２１Ｃに記載された文字は、特定の向きを向いている等）ように前記基板に搭載されているようにしてもよい。
【０１０５】
このような構成によれば、他に設けられた電子部品とともに文字情報を認識し易くできる。
【０１０６】
（４）上記（１）〜（３）のいずれかの遊技機において、前記基板上における前記特定電子部品の実装位置の近傍（例えば、第１出力回路１１の近傍等）には、前記実装位置に実装される前記特定電子部品と対応した文字情報（例えば、第１出力回路１１に記載された「型番１」と同一の「型番１」の文字等）が記されており、前記基板上に記された文字情報と、前記実装位置に実装された前記特定電子部品に記された文字情報の向きが共通する（例えば、第１出力回路１１に記載された「型番１」と、基板部材２の記載された「型番１」の文字の向きが、基板１を一方向から見たときに、その文字の下側が視点に近い側に位置する等）ように、前記実装位置に実装された前記特定電子部品が前記基板に搭載されているようにしてもよい。
【０１０７】
（５）本発明の遊技機は、遊技を行う遊技機（例えば、スロットマシン、パチンコ遊技機等）であって、複数種類の電子部品（例えば、主要回路、入力回路、出力回路、入出力端子、抵抗、トランジスタ、コンデンサ等）が搭載された基板（例えば、基板１等）を備え、前記複数種類の電子部品は、複数の識別電子部品（例えば、第２出力回路１２、第３出力回路１３、第４出力回路１４、第５出力回路１５、第１入力回路２１等）を含み、前記複数の識別電子部品は、第１種類の識別電子部品（例えば、出力回路として使用される第３出力回路１３等）と第２種類の識別電子部品（例えば、入力回路として使用される第１入力回路２１等）とを含んでおり、前記第１種類の識別電子部品と前記第２種類の識別電子部品とは、外見から識別できるよう（第３出力回路１３と第１入力回路２１とは、外見から識別できるように、前面に表示された「型番３」の文字の向きが異なり、互いに反転させた関係となっている等）に、前記基板に搭載されていることを特徴とする。
【０１０８】
このような構成によれば、識別電子部品の態様によって、いずれの種類の識別電子部品であるかを区別できる。このため、基板に正しい部品取り付けられていることを容易に確認できる。
【０１０９】
（６）上記（５）に記載の遊技機において、前記第１種類の識別電子部品は、出力回路に設けられた識別電子部品（例えば、第３出力回路１３等）であり、前記第２種類の識別電子部品は、入力回路に設けられた識別電子部品（例えば、第１入力回路２１等）であるようにしてもよい。
【０１１０】
このような構成によれば、信号の入力に用いられる電子部品と信号の出力に用いる電子部品を容易に区別できる。
【０１１１】
（７）上記（５）または（６）の遊技機において、前記複数種類の電子部品は、複数の所定電子部品（例えば、第１出力回路１１〜第５出力回路１５等）を含み、複数種類の所定電子部品は、第１種類の第１所定電子部品（例えば、第２出力回路１２等）を含み、前記第１種類の識別電子部品と前記第１所定電子部品とは、同じ態様で前記基板に搭載されている（例えば、第２出力回路１２と第３出力回路１３は、いずれも読みにくい向きを向く態様で基板１に搭載されている等）ようにしてもよい。
【０１１２】
このような構成によれば、第１種類の電子部品を容易に区別できる。
【０１１３】
（８）上記（５）または（６）の遊技機において、前記複数種類の電子部品は、複数種類の所定電子部品を含み（例えば、主要回路、入力回路、出力回路、入出力端子、抵抗、トランジスタ、コンデンサの各電子部品は、第１出力回路１１〜第５出力回路１５を含み）、複数種類の所定電子部品は、第１種類の第１所定電子部品を含み（例えば、第１出力回路１１〜第５出力回路１５は、第２出力回路１２を含み）、前記第１種類の識別電子部品と前記第１所定電子部品とは、互いに近傍位置となるように前記基板に搭載されいている（例えば、第３出力回路１３と第２出力回路１２とは、互いに近傍に配置されている等）ようにしてもよい。
【０１１４】
このような構成によれば、第１種類の電子部品を容易に区別できる。
【０１１５】
（９）本発明の遊技機は、遊技を行う遊技機（例えば、スロットマシン、パチンコ遊技機等）であって、複数種類の電子部品（例えば、主要回路、入力回路、出力回路、入出力端子、抵抗、トランジスタ、コンデンサ等）が搭載された基板を備え、前記複数種類の電子部品は、極性のない２つの端子（例えば、抵抗等）を備え、所定のマーク（例えば、第１ラインＬ１〜第４ラインＬ４からなる第１カラーコードＣＣ１等）が付された複数の印付電子部品（例えば、第１抵抗素子３１〜第８抵抗素子３８等）と、複数の端子を有する特殊電子部品（例えば、第１セグメント表示部５１〜第４セグメント表示部５４等）を含み、前記特殊電子部品における複数の端子には、それぞれ前記印付電子部品が接続されており、前記特殊電子部品における複数の端子に接続された複数の前記印付電子部品は、前記所定のマークの向きが共通する（例えば、第１抵抗素子３１〜第８抵抗素子３８は、第１ラインＬ１〜第４ラインＬ４がそれぞれ一直線上に配置されるように並べられている等）ように、前記基板に搭載されていることを特徴とする。
【０１１６】
このような構成によれば、特殊電子部品に対して、印付電子部品が正しく接続されていることを確認できる。したがって、基板に正しい部品取り付けられていることを容易に確認できる遊技機を提供することである。
【０１１７】
（１０）上記（９）に記載の遊技機において、前記所定のマークは、前記印付電子部品の性能を示す（例えば、第１カラーコードＣＣ１は、第１抵抗素子３１〜第８抵抗素子３８の抵抗値及び許容差を示す等）ようにしてもよい。
【０１１８】
このような構成によれば、正しい性能の印付電子部品であるかを容易に確認できる。
【０１１９】
（１１）上記（９）または（１０）の遊技機において、前記印付電子部品は整列して前記基板に搭載されているようにしてもよい。
【０１２０】
このような構成によれば、互いのマークの比較を行い易くできる。
【０１２１】
（１２）上記（９）〜（１１）のうちのいずれかの遊技機において、前記印付電子部品は、複数の第１印付電子部品（例えば、第１抵抗素子３１〜第８抵抗素子３８等）と、前記第１印付電子部品と同種かつ異性能の第２印付電子部品（例えば、異性能抵抗素子４１等）と含み、前記複数種類の電子部品は、所定端子を有する第２特殊電子部品（例えば、電源確認ランプ５５等）を含み、前記第２特殊電子部品における前記所定端子に、前記第２印付電子部品が接続されており（例えば、電源確認ランプ５５に異性能抵抗素子４１が接続されている等）、前記第２印付電子部品は、整列された前記複数の第１印付電子部品と並んで所定のマークが同じ向きとなるように前記基板に搭載されている（例えば、異性能抵抗素子４１の第２カラーコードＣＣ２の第５ラインＬ５〜第８ラインＬ８は、第１抵抗素子３１〜第８抵抗素子３８の第１カラーコードＣＣ１の第１ラインＬ１〜第４ラインＬ４と一直線上に配置されるように並べられている等）ようにしてもよい。
【０１２２】
このような構成によれば、用途の異なる部品間で、互いのマークの比較を行い易くできる。
【０１２３】
（１３）上記（９）〜（１２）のうちのいずれかの遊技機において、前記特殊電子部品のうちの少なくとも一つは、遊技機の性能表示に用いられる性能表示手段（例えば、第１セグメント表示部５１〜第４セグメント表示部５４は、遊技機の役比を表示する役比表示手段である等）を備えるようにしてもよい。
【０１２４】
このような構成によれば、遊技機の性能表示にあたって正常な部品が取り付けられているかを表示できる。
【符号の説明】
【０１２５】
１…基板
２…基板部材
１０…主要回路
１１…第１出力回路
１２…第２出力回路
１３…第３出力回路
１４…第４出力回路
１５…第５出力回路
２１…第１入力回路
３１〜３８…抵抗素子
４１…異性能抵抗素子
５１〜５４…セグメント表示部
５５…電源確認ランプ
【図１】
2019166134.tif 000003
【図２】
2019166134.tif 000004
【図３】
2019166134.tif 000005
【図４】
2019166134.tif 000006
【図５】
2019166134.tif 000007
【図６】
2019166134.tif 000008
【図７】
2019166134.tif 000009
【図８】
2019166134.tif 000010
【図９】
2019166134.tif 000011
【図１０】
2019166134.tif 000012
【図１１】
2019166134.tif 000013
【図１２】
2019166134.tif 000014